【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
患者の体温調整システムの熱交換媒体の温度を調整する方法であって、
複数の段階のそれぞれにおける患者の目的の体温及び設定継続時間のうち少なくとも１つからなるプログラムされたプロトコルを確立する工程において、該複数の段階は、それぞれ時間的に重複しておらず、設定段階継続時間が該複数の段階の少なくとも１つにおいて確立されるプロトコル確立工程と、
前記複数の段階のそれぞれの少なくとも一部において、前記プログラムされたプロトコルに少なくとも部分的に基づき患者の体温調整システムの熱交換媒体の温度を自動的に調整する工程とを含むことを特徴とする方法。
【請求項２】
前記複数の段階のそれぞれの少なくとも一部において、前記調整工程は、
測定された患者の温度、及び前記プロトコルを構成する対応する患者の目的の体温に少なくとも部分的に基づき熱交換媒体の温度を設定する工程を更に含むことを特徴とする請求項１に記載の方法。
【請求項３】
前記複数の段階のそれぞれの少なくとも一部において、前記設定工程は、
前記測定された患者の温度と、前記プロトコルを構成する対応する患者の目的の体温とを比較する工程を更に含むことを特徴とする請求項２に記載の方法。
【請求項４】
前記複数の段階は少なくとも２つの連続した段階を含むことを特徴とする請求項３に記載の方法。
【請求項５】
前記調整工程は、
前記比較工程に応じて前記少なくとも２つの連続する段階の少なくとも第１の段階及び第２の段階をそれぞれ自動的に終了及び開始する工程を更に含むことを特徴とする請求項４に記載の方法。
【請求項６】
前記確立工程は、
前記複数の段階のうちの第１の組の２つの段階における患者の異なる目的の体温から構成されるように前記プロトコルを確立する工程を更に含むことを特徴とする請求項１に記載の方法。
【請求項７】
前記確立工程は、
前記複数の段階のうちの第２の組の２つの段階における患者の同じ目的の体温から構成されるように前記プロトコルを確立する工程を更に含むことを特徴とする請求項６に記載の方法。
【請求項８】
前記複数の段階は少なくとも３つの連続した段階からなり、前記第１の組からなる段階は連続しており、且つ前記第２の組からなる段階は連続していることを特徴とする請求項７に記載の方法。
【請求項９】
前記確立工程は、
前記複数の段階のうち少なくとも１つの段階の継続時間から構成されるように前記プロトコルを確立する工程を更に含むことを特徴とする請求項２に記載の方法。
【請求項１０】
前記複数の段階のうち少なくとも１つの段階において、前記設定工程は、
対応する段階の継続時間に少なくとも部分的に基づき熱交換媒体の温度を設定する工程を更に含むことを特徴とする請求項９に記載の方法。
【請求項１１】
前記確立工程は、
前記複数の段階のそれぞれにおける患者の目的の体温及び設定継続時間のうち少なくと
も１つに対応する所定のコンピュータ制御のレコードフィールドのユーザによるデータ入力を受承する工程を更に含むことを特徴とする請求項１に記載の方法。
【請求項１２】
前記確立工程は、
前記複数の段階のうち少なくとも２つの連続する段階の段階継続時間から構成されるように前記プロトコルを確立する工程を更に含むことを特徴とする請求項２に記載の方法。
【請求項１３】
前記確立工程は、
対応する複数のプログラムされたプロトコルを確立すべく前記確立工程を複数回繰り返す工程と、
前記調整工程において使用される複数のプログラムされたプロトコルの１つをユーザが選択できるユーザ・インターフェイスを提供する工程とを更に含むことを特徴とする請求項１に記載の方法。
【請求項１４】
前記複数の段階のうち少なくとも１つの段階における患者の目的の体温の調整速度、並びに、
常時計測される患者の体温と、
常時計測される熱交換媒体の温度とのうち少なくとも１つに基づく情報を、前記複数の段階のうち少なくとも１つの段階の少なくとも一部において、ユーザ・インターフェイスにてユーザに送信する工程を更に含むことを特徴とする請求項１に記載の方法。
【請求項１５】
前記出力工程は、
ユーザ・インターフェイスにて前記情報を表示する工程を含むことを特徴とする請求項１４に記載の方法。
【請求項１６】
前記表示工程は、
前記情報をグラフの温度対時間目盛りベースの複数のプロットとして表示する工程を含むことを特徴とする請求項１５に記載の方法。
【請求項１７】
前記プログラムされたプロトコルに少なくとも部分的に基づき自動的に患者の目的の体温の調整速度を決定する工程を更に含むことを特徴とする請求項１４に記載の方法。
【請求項１８】
前記複数のｐｆ段階の連続した段階においてプログラムされたプロトコルを構成する患者の目的の体温に少なくとも部分的に基づき前記患者の目的の体温の調整速度を自動的に決定する工程と、
前記複数の段階のうち少なくとも１つの段階における患者の目的の体温及び患者の測定された体温に少なくとも部分的に基づき患者の目的の体温の調整速度を自動的に決定する工程とのうち１つの工程を更に含む請求項１４に記載の方法。
【請求項１９】
前記複数の段階の少なくとも２つの連続した段階における患者の目的の体温の調整速度、並びに、
常時計測される患者の温度と、
常時計測される熱交換媒体の温度とのうち少なくとも１つに基づく情報を、前記複数の段階の少なくとも２つの連続した段階の少なくとも一部において、ユーザ・インターフェイスにてユーザに送信する工程を更に含み、
情報はグラフの温度対時間の目盛りベースにてプロットとして表示されることを特徴とする請求項１に記載の方法。
【請求項２０】
前記確立工程の後に、複数の段階の少なくとも１つの完了に先立って受承されるユーザの入力に応じて該複数の段階の少なくとも１つのためのプログラムされたプロトコルを変更
する工程と、
前記調整工程において前記複数の段階の少なくとも１つを完了することに該変更されたプログラムされたプロトコルを使用する工程とを更に含むことを特徴とする請求項１に記載の方法。
【請求項２１】
前記確立工程は、
患者の目的の体温及び前記複数の段階のうち少なくとも１つの段階の継続時間から構成されるように前記プロトコルを確立する工程を更に含むことを特徴とする請求項２０に記載の方法。
【請求項２２】
前記変更工程は、
前記複数の段階のうち少なくとも１つの段階における患者の目的の体温及び前記段階の継続時間のうち少なくとも１つをユーザ・インターフェイスにて表示する工程と、
前記複数の段階のうち少なくとも１つにおける患者の目的の体温及び前記段階の継続時間のうち少なくとも１つをユーザに双方向に変更制御させる工程とを含むことを特徴とする請求項２１に記載の方法。
【請求項２３】
前記複数の段階のうち少なくとも１つの段階及び前記複数の段階の全段階より少ない段階に特有の少なくとも１つの警告条件を設定する工程と、
前記複数の段階のうち少なくとも１つの段階及び前記複数の段階の全段階より少ない段階において前記少なくとも１つの警告条件に対応する状況を自動的に監視する工程とを更に含むことを特徴とする請求項１に記載の方法。
【請求項２４】
前記監視工程に応じてユーザに自動的に警告出力を送信する工程を更に含むことを特徴とする請求項２３に記載の方法。
【手続補正２】
【補正対象書類名】明細書
【補正対象項目名】発明の名称
【補正方法】変更
【補正の内容】
【発明の名称】患者の体温調整システムの熱交換媒体の温度を調整する方法